(57)【要約】【課題】スロットマシンに関し、ストップスイッチの停止操作の相対的なタイミングにもとづいて、リールの停止制御を変化させ、予告報知する。【解決手段】遊技制御手段１００には、複数のストップスイッチ４０のうち、先に操作されるストップスイッチ４０の操作タイミングを基準として、以降に操作されるストップスイッチ４０の操作タイミングを予め決定するための操作タイミング決定手段１５０、操作タイミング決定手段１５０により決定された操作タイミングを、予告報知手段７０を通じて予告報知するための予告報知制御手段１６０を備える。リール停止制御手段１４０は、役抽選手段１１０による抽選結果により役に当選したことを条件に、操作タイミング決定手段１５０により決定された操作タイミングで当該ストップスイッチ４０が操作された場合に、当選した役に対応する図柄の組合せを有効ライン（図示せず）上に停止させる。【選択図】    図１
2004344409.tif 000002
【特許請求の範囲】
【請求項１】
複数種類の図柄が表示された複数のリールを個々に駆動可能なリール駆動手段と、
複数個の前記リールに対応して設けられ、当該リールの回転を停止可能な複数のストップスイッチと、
前記リール駆動手段、複数の前記ストップスイッチにそれぞれ接続され、遊技を制御するための遊技制御手段とを備え、
前記遊技制御手段には、
役の抽選を行うための役抽選手段と、
前記役抽選手段による抽選結果、及び前記ストップスイッチの操作にもとづいて、当該ストップスイッチに対応する前記リールの停止位置を制御するためのリール停止制御手段とを備えるスロットマシンにおいて、
前記遊技制御手段には、
複数の前記ストップスイッチのうち、先に操作されるストップスイッチの操作タイミングを基準として、以降に操作されるストップスイッチの操作タイミングを予め決定するための操作タイミング決定手段と、
前記操作タイミング決定手段により決定された操作タイミングを、予告報知手段を通じて予告報知するための予告報知制御手段とを備え、
前記リール停止制御手段は、
前記役抽選手段による抽選結果により役に当選したことを条件に、
前記操作タイミング決定手段により決定された操作タイミングで当該ストップスイッチが操作された場合に、
当選した前記役に対応する図柄の組合せを有効ライン上に停止させるための停止制御を実行させるようにしていることを特徴とするスロットマシン。
【請求項２】
請求項１に記載のスロットマシンであって、
前記リール停止制御手段は、
前記役抽選手段による抽選結果により役に当選したことを条件に、
前記操作タイミング決定手段により決定された操作タイミングで当該ストップスイッチが操作されなかった場合には、
当選した前記役に対応する図柄の組合せを有効ライン上に停止させないための停止制御を実行させるようにしていることを特徴とするスロットマシン。
【請求項３】
請求項１又は請求項２に記載のスロットマシンであって、
前記予告報知制御手段には、
前記操作タイミング決定手段により決定された操作タイミングを、前記予告報知手段を通じて予告報知するか否かを選択するための予告報知選択手段を備えていることを特徴とするスロットマシン。
【請求項４】
請求項１〜３のいずれか１項に記載のスロットマシンであって、
前記操作タイミング決定手段は、
直前に操作されるストップスイッチの操作タイミングを基準として、当該ストップの直後に操作されるストップスイッチの操作タイミングを予め決定するようにしていることを特徴とするスロットマシン。
【請求項５】
請求項１〜４のいずれか１項に記載のスロットマシンであって、
前記リールは、３個以上有り、
前記ストップスイッチは、前記リールの数に対応して、３個以上有り、
前記操作タイミング決定手段は、
一番目に操作されるストップスイッチの操作タイミングを基準として、二番目に操作されるストップスイッチの第一の操作タイミングと、
二番目に操作されるストップスイッチの操作タイミングを基準として、三番目に操作されるストップスイッチの第二の操作タイミングとを予め決定するようにしていることを特徴とするスロットマシン。
【請求項６】
請求項１〜４のいずれか１項に記載のスロットマシンであって、
前記リールは、３個以上有り、
前記ストップスイッチは、前記リールの数に対応して、３個以上有り、
前記操作タイミング決定手段は、
一番目に操作されるストップスイッチの操作タイミングを基準として、三番目に操作されるストップスイッチの操作タイミングを予め決定するようにしていることを特徴とするスロットマシン。
【請求項７】
複数種類の図柄が表示された複数のリールを個々に駆動可能なリール駆動手段と、
複数個の前記リールに対応して設けられ、当該リールの回転を停止可能な複数のストップスイッチと、
前記リール駆動手段、複数の前記ストップスイッチにそれぞれ接続され、遊技を制御するための遊技制御手段とを備え、
前記遊技制御手段には、
役の抽選を行うための役抽選手段と、
前記役抽選手段による抽選結果、及び前記ストップスイッチの操作にもとづいて、当該ストップスイッチに対応する前記リールの停止位置を制御するためのリール停止制御手段とを備えるスロットマシンを前提とし、
前記スロットマシンのコンピュータである前記遊技制御手段を、
複数の前記ストップスイッチのうち、先に操作されるストップスイッチの操作タイミングを基準として、以降に操作されるストップスイッチの操作タイミングを予め決定するための操作タイミング決定手段と、
前記操作タイミング決定手段により決定された操作タイミングを、予告報知手段を通じて予告報知するための予告報知制御手段として機能させるとともに、
前記スロットマシンのコンピュータの一部である前記リール停止制御手段により、
前記役抽選手段による抽選結果により役に当選したことを条件に、
前記操作タイミング決定手段により決定された操作タイミングで当該ストップスイッチが操作された場合に、
当選した前記役に対応する図柄の組合せを有効ライン上に停止させるための停止制御を実行させるためのスロットマシン用プログラム。
【請求項８】
複数種類の図柄が表示された複数のリールを個々に駆動可能なリール駆動手段と、
複数個の前記リールに対応して設けられ、当該リールの回転を停止可能な複数のストップスイッチと、
前記リール駆動手段、複数の前記ストップスイッチにそれぞれ接続され、遊技を制御するための遊技制御手段とを備え、
前記遊技制御手段には、
役の抽選を行うための役抽選手段と、
前記役抽選手段による抽選結果、及び前記ストップスイッチの操作にもとづいて、当該ストップスイッチに対応する前記リールの停止位置を制御するためのリール停止制御手段とを備えるスロットマシンを前提とし、
前記スロットマシンのコンピュータである前記遊技制御手段を、
複数の前記ストップスイッチのうち、先に操作されるストップスイッチの操作タイミングを基準として、以降に操作されるストップスイッチの操作タイミングを予め決定するための操作タイミング決定手段と、
前記操作タイミング決定手段により決定された操作タイミングを、予告報知手段を通じて予告報知するための予告報知制御手段として機能させるとともに、
前記スロットマシンのコンピュータの一部である前記リール停止制御手段により、
前記役抽選手段による抽選結果により役に当選したことを条件に、
前記操作タイミング決定手段により決定された操作タイミングで当該ストップスイッチが操作された場合に、
当選した前記役に対応する図柄の組合せを有効ライン上に停止させるための停止制御を実行させるためのプログラムが記録されたスロットマシン内のコンピュータが読み取り可能な記録媒体。
【発明の詳細な説明】
【０００１】
【発明の属する技術分野】
この発明は、スロットマシンに関し、ストップスイッチの停止操作の相対的なタイミングにもとづいて、リールの停止制御を変化させるとともに、ストップスイッチの停止操作の相対的なタイミングを遊技者に予告報知することができるようにしたものである。
【０００２】
【従来の技術】
従来、当選役の入賞に関し、ストップスイッチの押し順の相違により、リールの停止制御を変更し、入賞率（出玉率）を変化させる、いわゆる押し順停止制御があった。
従来の押し順停止制御では、当選時の押し順をサブ基板の制御を利用して報知（アシスト）することにより、出玉率の制御を可能としていた。
【０００３】
【発明が解決しようとする課題】
しかし、上記した従来の押し順アシストは、ストップスイッチの押し順という絶対的な条件により、出玉率を制御していたので、遊技者の技術加入の余地が少なく、遊技性に欠けるという問題点があった。
すなわち、押し順は、絶対的なものであり、アシストされた押し順と異なる押し順でストップスイッチを操作すると、当選した役に対応する図柄の組合せが揃わなくなってしまう。
【０００４】
そこで、各請求項にそれぞれ記載された各発明は、上記した従来の技術の有する問題点に鑑みてなされたものであり、その目的とするところは、次の点にある。
（請求項１）
請求項１に記載の発明は、スロットマシンに関し、次の点を目的とする。
【０００５】
すなわち、請求項１に記載の発明は、ストップスイッチの停止操作の相対的なタイミングにもとづいて、リールの停止制御を変化させるとともに、ストップスイッチの停止操作の相対的なタイミングを遊技者に予告報知することができるようにしたものである。
すなわち、請求項１に記載の発明によれば、ストップスイッチの操作タイミングの始期や終期が絶対的に決まっておらず、先に操作されるストップスイッチの操作タイミングを基準として、以降に操作されるストップスイッチの操作タイミングを決定しているので、操作タイミングを相対的な条件とすることができる。
【０００６】
その結果、請求項１に記載の発明によれば、遊技者の技量の差や、偶然性等の要因により遊技結果が変化する可能性があり、遊技者の技術加入性や遊技性を向上することができる。
（請求項２）
請求項２に記載の発明は、スロットマシンに関し、上記した請求項１に記載の発明の目的に加え、次の点を目的とする。
【０００７】
すなわち、請求項２に記載の発明は、役に当選した場合であっても、操作タイミングに従ってストップスイッチが操作されなかった場合には、当選した役を成立させないようにリールの停止制御を実行することができるようにしたものである。
（請求項３）
請求項３に記載の発明は、スロットマシンに関し、上記した請求項１又は請求項２に記載の発明の目的に加え、次の点を目的とする。
【０００８】
すなわち、請求項３に記載の発明は、操作タイミングを予告報知するか否かを選択することができるようにしたものである。
その結果、請求項３に記載の発明によれば、操作タイミングを全て予告報知する場合に比較して、遊技を一層、変化に富むものとできる。
（請求項４）
請求項４に記載の発明は、スロットマシンに関し、上記した請求項１〜３のいずれか１項に記載の発明の目的に加え、次の点を目的とする。
【０００９】
すなわち、請求項４に記載の発明は、直前に操作されるストップスイッチの操作タイミングを基準として、当該ストップの直後に操作されるストップスイッチの操作タイミングを決定することができるようにしたものである。
（請求項５）
請求項５に記載の発明は、スロットマシンに関し、上記した請求項１〜４のいずれか１項に記載の発明の目的に加え、次の点を目的とする。
【００１０】
すなわち、請求項５に記載の発明は、３個以上のストップスイッチを前提として、２個の操作タイミングを決定することができるようにしたものである。
その結果、請求項５に記載の発明によれば、操作タイミングが１個の場合と比較して、難易度が高くなり、遊技を一層、変化に富むものとできる。
（請求項６）
請求項６に記載の発明は、スロットマシンに関し、上記した請求項１〜４のいずれか１項に記載の発明の目的に加え、次の点を目的とする。
【００１１】
すなわち、請求項６に記載の発明は、３個以上のストップスイッチを前提として、一番目に操作されるストップスイッチの操作タイミングを基準として、三番目に操作されるストップスイッチの操作タイミングを決定することができるようにしたものである。
その結果、請求項６に記載の発明によれば、直前に操作されるストップスイッチの操作タイミングを基準とする場合と比較して、難易度が高くなり、遊技を一層、変化に富むものとできる。
（請求項７）
請求項７に記載の発明は、プログラムに関し、次の点を目的とする。
【００１２】
すなわち、請求項７に記載の発明は、ストップスイッチの停止操作の相対的なタイミングにもとづいて、リールの停止制御を変化させるとともに、ストップスイッチの停止操作の相対的なタイミングを遊技者に予告報知することができるようにしたものである。
（請求項８）
請求項８に記載の発明は、記録媒体に関し、次の点を目的とする。
【００１３】
すなわち、請求項８に記載の発明は、ストップスイッチの停止操作の相対的なタイミングにもとづいて、リールの停止制御を変化させるとともに、ストップスイッチの停止操作の相対的なタイミングを遊技者に予告報知することができるようにしたものである。
【００１４】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１５】
また、図面番号も、発明の実施の形態において用いた図番を示し、本発明の技術的範囲を限定するものではない。
（請求項１）
請求項１に記載の発明は、スロットマシンに関し、次の点を特徴とする。
第一に、スロットマシン（１０）には、例えば図１に示すように、次の構成を備える。
【００１６】
（１）リール駆動手段（５０）
リール駆動手段（５０）は、図示しないが、複数種類の図柄が表示された複数、例えば３個のリールを個々に駆動可能なものである。
なお、リールの数は、複数存在すれば良く、３個に限定されず、２個或いは４個以上でも良い。
【００１７】
（２）ストップスイッチ（４０）
ストップスイッチ（４０）は、例えば図１に示すように、複数、例えばリール（図示せず）と同数の３個有り、３個のリールに対応して設けられ、当該リールの回転を停止可能なものである。
なお、ストップスイッチ（４０）は、リールと同様に複数存在すれば良く、３個に限定されず、２個或いは４個以上でも良い。
【００１８】
（３）遊技制御手段（１００）
遊技制御手段（１００）は、例えば図１に示すように、リール駆動手段（５０）、複数の前記ストップスイッチ（４０）にそれぞれ接続され、遊技を制御するためのものである。
第二に、遊技制御手段（１００）には、例えば図１に示すように、次の構成を備える。
【００１９】
（４）役抽選手段（１１０）
役抽選手段（１１０）は、役の抽選を行うためのものである。
（５）リール停止制御手段（１４０）
リール停止制御手段（１４０）は、役抽選手段（１１０）による抽選結果、及びストップスイッチ（４０）の操作にもとづいて、当該ストップスイッチ（４０）に対応するリールの停止位置を制御するためのものである。
【００２０】
第三に、遊技制御手段（１００）には、上記した構成に加え、例えば図１に示すように、次の構成を備える。
（６）操作タイミング決定手段（１５０）
操作タイミング決定手段（１５０）は、複数のストップスイッチ（４０）のうち、先に操作されるストップスイッチ（４０）の操作タイミングを基準として、以降に操作されるストップスイッチ（４０）の操作タイミングを予め決定するためのものである。
【００２１】
上記操作タイミングには、例えば図２に示すように、第１停止と第２停止との間の時間（ａ）や、第２停止と第３停止との間の時間（ｂ）が相当するが、いずれか一方の時間だけを操作タイミングとしても良い。
（７）予告報知制御手段（１６０）
予告報知制御手段（１６０）は、操作タイミング決定手段（１５０）により決定された操作タイミングを、予告報知手段（７０）を通じて予告報知するためのものである。
【００２２】
上記予告報知手段７０は、液晶、ドット・マトリックス等で構成するが、これに限定されず、７セグメント、ＬＥＤ等のランプ等の視覚的な予告報知のほか、効果音や音声等による聴覚的な予告報知でも良い。
第四に、リール停止制御手段（１４０）は、役抽選手段（１１０）による抽選結果により役に当選したことを条件に、操作タイミング決定手段（１５０）により決定された操作タイミングで当該ストップスイッチ（４０）が操作された場合に、当選した役に対応する図柄の組合せを有効ライン（図示せず）上に停止させるための停止制御を実行させるようにしている。
（請求項２）
請求項２に記載の発明は、スロットマシンに関し、上記した請求項１に記載の発明の特徴点に加え、次の点を特徴とする。
【００２３】
すなわち、リール停止制御手段（１４０）は、役抽選手段（１１０）による抽選結果により役に当選したことを条件に、操作タイミング決定手段（１５０）により決定された操作タイミングで当該ストップスイッチ（４０）が操作されなかった場合には、当選した役に対応する図柄の組合せを有効ライン（図示せず）上に停止させないための停止制御を実行させるようにしている。
（請求項３）
請求項３に記載の発明は、スロットマシンに関し、上記した請求項１又は請求項２に記載の発明の特徴点に加え、次の点を特徴とする。
【００２４】
すなわち、予告報知制御手段（１６０）には、例えば図１に示すように、次の構成を備える。
（１）予告報知選択手段（１６１）
予告報知選択手段（１６１）は、操作タイミング決定手段（１５０）により決定された操作タイミングを、予告報知手段（７０）を通じて予告報知するか否かを選択するためのものである。
（請求項４）
請求項４に記載の発明は、スロットマシンに関し、上記した請求項１〜３のいずれか１項に記載の発明の特徴点に加え、次の点を特徴とする。
【００２５】
すなわち、操作タイミング決定手段（１５０）は、直前に操作されるストップスイッチ（４０）の操作タイミングを基準として、当該ストップの直後に操作されるストップスイッチ（４０）の操作タイミングを予め決定するようにしている。
上記操作タイミングには、例えば図２に示すように、第１停止と第２停止との間の時間（ａ）や、第２停止と第３停止との間の時間（ｂ）が相当するが、いずれか一方の時間だけを操作タイミングとしても良い。
（請求項５）
請求項５に記載の発明は、スロットマシンに関し、上記した請求項１〜４のいずれか１項に記載の発明の特徴点に加え、次の点を特徴とする。
【００２６】
第一に、リールは、図示しないが、３個以上有る。
第二に、ストップスイッチ（４０）は、例えば図１に示すように、リール（図示せず）の数に対応して、３個以上有る。
第三に、操作タイミング決定手段（１５０）は、一番目に操作されるストップスイッチ（４０）の操作タイミングを基準として、二番目に操作されるストップスイッチ（４０）の第一の操作タイミングと、二番目に操作されるストップスイッチ（４０）の操作タイミングを基準として、三番目に操作されるストップスイッチ（４０）の第二の操作タイミングとを予め決定するようにしている。
【００２７】
上記第一の操作タイミングには、例えば図２に示すように、第１停止と第２停止との間の時間（ａ）が相当する。
第二の操作タイミングには、例えば図２に示すように、第２停止と第３停止との間の時間（ｂ）が相当する。
（請求項６）
請求項６に記載の発明は、スロットマシンに関し、上記した請求項１〜４のいずれか１項に記載の発明の特徴点に加え、次の点を特徴とする。
【００２８】
第一に、リールは、図示しないが、３個以上有る。
第二に、ストップスイッチ（４０）は、例えば図１に示すように、リール（図示せず）の数に対応して、３個以上有る。
第三に、操作タイミング決定手段（１５０）は、一番目に操作されるストップスイッチ（４０）の操作タイミングを基準として、三番目に操作されるストップスイッチ（４０）の操作タイミングを予め決定するようにしている。
【００２９】
上記操作タイミングには、例えば図３に示すように、第１停止と第３停止との間の時間（ｃ）が相当する。
（請求項７）
請求項７に記載の発明は、次の点を特徴とする。
第一に、例えば図１に示すように、次の構成を備えるスロットマシン（１０）を前提とする。
【００３０】
（１）リール駆動手段（５０）
リール駆動手段（５０）は、図示しないが、複数種類の図柄が表示された複数、例えば３個のリールを個々に駆動可能なものである。
なお、リールの数は、複数存在すれば良く、３個に限定されず、２個或いは４個以上でも良い。
【００３１】
（２）ストップスイッチ（４０）
ストップスイッチ（４０）は、例えば図１に示すように、複数、例えばリール（図示せず）と同数の３個有り、３個のリールに対応して設けられ、当該リールの回転を停止可能なものである。
なお、ストップスイッチ（４０）は、リールと同様に複数存在すれば良く、３個に限定されず、２個或いは４個以上でも良い。
【００３２】
（３）遊技制御手段（１００）
遊技制御手段（１００）は、例えば図１に示すように、リール駆動手段（５０）、複数のストップスイッチ（４０）にそれぞれ接続され、遊技を制御するためのものである。
第二に、例えば図１に示すように、次の構成を備える遊技制御手段（１００）を前提とする。
【００３３】
（４）役抽選手段（１１０）
役抽選手段（１１０）は、役の抽選を行うためのものである。
（５）リール停止制御手段（１４０）
リール停止制御手段（１４０）は、役抽選手段（１１０）による抽選結果、及びストップスイッチ（４０）の操作にもとづいて、当該ストップスイッチ（４０）に対応するリールの停止位置を制御するためのものである。
【００３４】
第三に、スロットマシンのコンピュータである遊技制御手段（１００）を、次の手段として機能させるスロットマシン用プログラムである。
（６）操作タイミング決定手段（１５０）
操作タイミング決定手段（１５０）は、複数のストップスイッチ（４０）のうち、先に操作されるストップスイッチ（４０）の操作タイミングを基準として、以降に操作されるストップスイッチ（４０）の操作タイミングを予め決定するためのものである。
【００３５】
上記操作タイミングには、例えば図２に示すように、第１停止と第２停止との間の時間（ａ）や、第２停止と第３停止との間の時間（ｂ）が相当するが、いずれか一方の時間だけを操作タイミングとしても良い。
（７）予告報知制御手段（１６０）
予告報知制御手段（１６０）は、操作タイミング決定手段（１５０）により決定された操作タイミングを、予告報知手段（７０）を通じて予告報知するためのものである。
【００３６】
上記予告報知手段７０は、液晶、ドット・マトリックス等で構成するが、これに限定されず、７セグメント、ＬＥＤ等のランプ等の視覚的な予告報知のほか、効果音や音声等による聴覚的な予告報知でも良い。
第四に、スロットマシンのコンピュータの一部であるリール停止制御手段（１４０）により、役抽選手段（１１０）による抽選結果により役に当選したことを条件に、操作タイミング決定手段（１５０）により決定された操作タイミングで当該ストップスイッチ（４０）が操作された場合に、当選した役に対応する図柄の組合せを有効ライン（図示せず）上に停止させるための停止制御を実行させるためのスロットマシン用プログラムである。
（請求項８）
請求項８に記載の発明は、記録媒体に関し、次の点を特徴とする。
【００３７】
第一に、例えば図１に示すように、次の構成を備えるスロットマシン（１０）を前提とする。
（１）リール駆動手段（５０）
リール駆動手段（５０）は、図示しないが、複数種類の図柄が表示された複数、例えば３個のリールを個々に駆動可能なものである。
【００３８】
なお、リールの数は、複数存在すれば良く、３個に限定されず、２個或いは４個以上でも良い。
（２）ストップスイッチ（４０）
ストップスイッチ（４０）は、例えば図１に示すように、複数、例えばリール（図示せず）と同数の３個有り、３個のリールに対応して設けられ、当該リールの回転を停止可能なものである。
【００３９】
なお、ストップスイッチ（４０）は、リールと同様に複数存在すれば良く、３個に限定されず、２個或いは４個以上でも良い。
（３）遊技制御手段（１００）
遊技制御手段（１００）は、例えば図１に示すように、リール駆動手段（５０）、複数のストップスイッチ（４０）にそれぞれ接続され、遊技を制御するためのものである。
【００４０】
第二に、例えば図１に示すように、次の構成を備える遊技制御手段（１００）を前提とする。
（４）役抽選手段（１１０）
役抽選手段（１１０）は、役の抽選を行うためのものである。
（５）リール停止制御手段（１４０）
リール停止制御手段（１４０）は、役抽選手段（１１０）による抽選結果、及びストップスイッチ（４０）の操作にもとづいて、当該ストップスイッチ（４０）に対応するリールの停止位置を制御するためのものである。
【００４１】
第三に、スロットマシンのコンピュータである遊技制御手段（１００）を、次の手段として機能させるプログラムが記録されたスロットマシン内のコンピュータが読み取り可能な記録媒体である。
（６）操作タイミング決定手段（１５０）
操作タイミング決定手段（１５０）は、複数のストップスイッチ（４０）のうち、先に操作されるストップスイッチ（４０）の操作タイミングを基準として、以降に操作されるストップスイッチ（４０）の操作タイミングを予め決定するためのものである。
【００４２】
上記操作タイミングには、例えば図２に示すように、第１停止と第２停止との間の時間（ａ）や、第２停止と第３停止との間の時間（ｂ）が相当するが、いずれか一方の時間だけを操作タイミングとしても良い。
（７）予告報知制御手段（１６０）
予告報知制御手段（１６０）は、操作タイミング決定手段（１５０）により決定された操作タイミングを、予告報知手段（７０）を通じて予告報知するためのものである。
【００４３】
上記予告報知手段７０は、液晶、ドット・マトリックス等で構成するが、これに限定されず、７セグメント、ＬＥＤ等のランプ等の視覚的な予告報知のほか、効果音や音声等による聴覚的な予告報知でも良い。
第四に、スロットマシンのコンピュータの一部であるリール停止制御手段（１４０）により、役抽選手段（１１０）による抽選結果により役に当選したことを条件に、操作タイミング決定手段（１５０）により決定された操作タイミングで当該ストップスイッチ（４０）が操作された場合に、当選した役に対応する図柄の組合せを有効ライン（図示せず）上に停止させるための停止制御を実行させるためのプログラムが記録されたスロットマシン内のコンピュータが読み取り可能な記録媒体である。
【００４４】
【発明の実施の形態】
（図面の説明）
図１〜２は、本発明の第一の実施の形態の一例をそれぞれ示すものである。
図１は、スロットマシンの概略ブロック図、図２は停止タイミングを説明するための説明図をそれぞれ示すものである。
【００４５】
図３は、停止タイミングの第２の実施の形態を示すものであって、同図は停止タイミングを説明するための説明図を示すものである。
図４は、停止タイミングの第３の実施の形態を示すものであって、同図は停止タイミングを説明するための説明図を示すものである。
図５は、停止タイミングの第４の実施の形態を示すものであって、同図は停止タイミングを説明するための説明図を示すものである。
（スロットマシン１０）
図中、１０は、スロットマシンを示すものである。
【００４６】
スロットマシン１０には、図１に示すように、次のパーツを備える。
（１）メダル投入手段２０
（２）スタートスイッチ３０
（３）ストップスイッチ４０
（４）リール駆動手段５０
（５）利益付与手段６０
（６）予告報知手段７０
（７）遊技制御手段１００
なお、スロットマシン１０のパーツは、上記した（１）〜（７）に限定されない。
（メダル投入手段２０）
メダル投入手段２０は、メダルを投入するものであり、図示しないが、例えばメダルセンサーや、クレジットメダル投入スイッチ等から構成されている。
【００４７】
なお、メダル投入手段２０は、メダルセンサーや、クレジットメダル投入スイッチに限定されない。
（スタートスイッチ３０）
スタートスイッチ３０は、後述するが、複数、例えば同数の３個のリール（図示せず）の回転を開始するためのものである。
（ストップスイッチ４０）
ストップスイッチ４０は、図１に示すように、複数、例えば左・中・右の３個有り、後述するが、複数、例えば同数の３個のリール（図示せず）に対応して設けられ、当該リールの回転を停止可能なものである。
【００４８】
なお、ストップスイッチ４０は、リールと同様に複数存在すれば良く、３個に限定されず、２個或いは４個以上でも良い。
具体的には、ストップスイッチ４０は、図１に示すように、左・中・右の３個のリール（図示せず）にそれぞれ対応する左ストップスイッチ４１、中ストップスイッチ４２、右ストップスイッチ４３から構成されている。
（リール駆動手段５０）
リール駆動手段５０は、図示しないが、複数種類の図柄が表示された複数、例えば左・中・右の３個のリールを個々に駆動可能なものである。
【００４９】
なお、リールは、複数存在すれば良く、３個に限定されず、２個或いは４個以上でも良い。
具体的には、リール駆動手段５０は、図１に示すように、左・中・右の３個のリール（図示せず）にそれぞれ対応する左リールモータ５１、中リールモータ５２、右リールモータ５３から構成されている。
（利益付与手段６０）
利益付与手段６０は、遊技結果にもとづいて、遊技者に利益を付与するものであり、例えばメダルを払い出すためのホッパー・ユニットから構成されている。
【００５０】
なお、利益付与手段６０は、ホッパー・ユニットに限定されず、例えばカード・ユニット等から構成しても良い。
（予告報知手段７０）
予告報知手段７０は、後述するが、図１に示す遊技制御手段１００の操作タイミング決定手段１５０により決定された操作タイミングを予告報知するためのものである。
【００５１】
具体的には、予告報知手段７０は、液晶、ドット・マトリックス等で構成するが、これに限定されず、７セグメント、ＬＥＤ等のランプ等の視覚的な予告報知のほか、効果音や音声等による聴覚的な予告報知でも良い。
（遊技制御手段１００）
遊技制御手段１００は、遊技を制御するためのものである。
【００５２】
具体的には、遊技制御手段１００は、コンピュータであって、図示しないが、例えばＣＰＵを中心に構成され、ＲＯＭやＲＡＭ等の記録媒体、Ｉ／Ｏ等を備えている。
なお、遊技制御手段１００のＣＰＵの数は、１個に限定されず、メインＣＰＵやサブＣＰＵ等の２個以上のＣＰＵを用いても良い。
【００５３】
また、記録媒体は、ＲＯＭやＲＡＭに限定されず、そのほか電気的・磁気的・光学的なメモリーやディスク等でも良い。
上記ＣＰＵは、記録媒体、例えばＲＯＭに記録されたプログラムを読み込むことで、図１に示すように、大別すると、次の手段として機能する。
（１）役抽選手段１１０
（２）特定遊技実行手段１２０
（３）特別遊技実行手段１３０
（４）リール停止制御手段１４０
（５）操作タイミング決定手段１５０
（６）予告報知制御手段１６０
なお、遊技制御手段１００の手段は、次の（１）〜（６）に限定されない。
（遊技制御手段１００の入力段）
遊技制御手段１００の入力段には、図１に示すように、次の手段がそれぞれ接続されている。
【００５４】
（１）メダル投入手段２０
（２）スタートスイッチ３０
（３）ストップスイッチ４０
なお、遊技制御手段１００の入力段に接続される手段は、上記した（１）〜（３）に限定されない。
（遊技制御手段１００の出力段）
遊技制御手段１００の出力段には、図１に示すように、次の手段がそれぞれ接続されている。
【００５５】
（１）リール駆動手段５０
（２）利益付与手段６０
（３）予告報知手段７０
なお、遊技制御手段１００の出力段に接続される手段は、上記した（１）〜（３）に限定されない。
（役抽選手段１１０）
役抽選手段１１０は、例えば乱数等を用いて、役の抽選を行うためのものである。
【００５６】
上記役には、大別すると、次の種類がある。
（１）当選
（２）外れ
上記当選には、大別すると、次の種類がある。
（１）小役
（２）特定遊技への移行役
（３）特別遊技への移行役
（４）特典遊技への移行役
（５）再遊技
なお、当選は、上記した（１）〜（５）に限定されず、例えばシングル・ボーナス（ＳＢ）等を含んでも良い。
（特定遊技実行手段１２０）
特定遊技実行手段１２０は、特定遊技、例えばいわゆるレギュラー・ボーナス（以下、「ＲＢ」という。）を実行させるためのものである。
【００５７】
なお、特定遊技は、ＲＢに限定されない。
特定遊技は、特定遊技への移行役に当選し、当該役に対応する図柄が有効ライン（図示せず）上に揃うことを条件に開始され、一般遊技から特定遊技に移行する。特定遊技中は、メダルが１枚がけとなり、特定遊技は、複数ゲーム（例えば１２ゲーム）消化するか、或いは複数回（例えば８回）入賞するか、いずれか先に達成された条件に従って終了し、一般遊技に復帰する。
（特別遊技実行手段１３０）
特別遊技実行手段１３０は、特別遊技、例えばいわゆるビッグ・ボーナス（以下、「ＢＢ」という。）を実行させるためのものである。
【００５８】
なお、特別遊技は、ＢＢに限定されない。
特別遊技は、特別遊技への移行役に当選し、当該役に対応する図柄が有効ライン（図示せず）上に揃うことを条件に開始され、一般遊技から特別遊技に移行する。特別遊技は、３枚がけの複数回（例えば最大３０回）可能な一般遊技（ＢＢ中の一般遊技）と、複数回（例えば最大３回）まで遊技可能なＲＢとから構成される。特別遊技は、最大回数のＲＢを終了したか、或いはＢＢ中の一般遊技を最大回数消化したか、いずれか先に達成された条件に従って終了し、一般遊技に復帰する。
（リール停止制御手段１４０）
リール停止制御手段１４０は、役抽選手段１１０による抽選結果、及びストップスイッチ４０の操作にもとづいて、当該ストップスイッチ４０に対応するリールの停止位置を制御するためのものである。
【００５９】
これに加え、リール停止制御手段１４０は、役抽選手段１１０による抽選結果により役に当選したことを条件に、操作タイミング決定手段１５０により決定された操作タイミングで当該ストップスイッチ４０が操作された場合に、当選した役に対応する図柄の組合せを有効ライン（図示せず）上に停止させるための停止制御、いわゆる引き込み制御を実行させるようにしている。
【００６０】
また、リール停止制御手段１４０は、役抽選手段１１０による抽選結果により役に当選したことを条件に、操作タイミング決定手段１５０により決定された操作タイミングで当該ストップスイッチ４０が操作されなかった場合には、当選した役に対応する図柄の組合せを有効ライン上に停止させないための停止制御、いわゆる蹴飛ばし制御を実行させるようにしても良い。
（操作タイミング決定手段１５０）
操作タイミング決定手段１５０は、複数のストップスイッチ４０のうち、先に操作されるストップスイッチ４０の操作タイミングを基準として、以降に操作されるストップスイッチ４０の操作タイミングを予め決定するためのものである。
【００６１】
また、操作タイミング決定手段１５０は、直前に操作されるストップスイッチ（４０）の操作タイミングを基準として、当該ストップの直後に操作されるストップスイッチ４０の操作タイミングを予め決定するようにしても良い。
上記操作タイミングには、図２に示すように、第１停止と第２停止との間の時間ａや、第２停止と第３停止との間の時間ｂが相当するが、いずれか一方の時間だけを操作タイミングとしても良い。
【００６２】
上記第１停止は、一番目に操作されるストップスイッチ４０による対応するリールの停止を意味し、左ストップスイッチ４１、中ストップスイッチ４２、右ストップスイッチ４３のいずれを操作しても良い。
なお、操作タイミングに加えて、ストップスイッチ４０の押し順を決定し、当該押し順を予告報知し、操作タイミングと押し順の２つの条件が達成された場合に、当選した役に対応する図柄の組合せを有効ライン（図示せず）上に停止させるための停止制御を実行させるようにしても良い。
【００６３】
同様に、第２停止は、二番目に操作されるストップスイッチ４０による対応するリールの停止を意味し、第３停止は三番目に操作されるストップスイッチ４０による対応するリールの停止を意味する。
なお、操作タイミングを、図２に示すように、ストップスイッチ４０がオフ（ＯＦＦ）からオン（ＯＮ）への信号の立ち上がりを基準にして計測したが、これに限定されず、逆にオン（ＯＮ）からオフ（ＯＦＦ）への信号の立ち下がりを基準にして計測して良い。
【００６４】
さらに、操作タイミング決定手段１５０は、一番目に操作されるストップスイッチ４０の操作タイミングを基準として、二番目に操作されるストップスイッチ４０の第一の操作タイミングと、二番目に操作されるストップスイッチ４０の操作タイミングを基準として、三番目に操作されるストップスイッチ４０の第二の操作タイミングとを予め決定するようにしても良い。
【００６５】
上記第一の操作タイミングには、図２に示すように、第１停止と第２停止との間の時間ａが相当する。
第二の操作タイミングには、図２に示すように、第２停止と第３停止との間の時間ｂが相当する。
第一の操作タイミングの時間ａと、第二の操作タイミングの時間ｂとは、次のいずれの関係にあっても良い。
【００６６】
（１）第一の操作タイミングの時間ａ＝第二の操作タイミングの時間ｂ
例えば、時間ａと時間ｂとを、１秒プラス・マイナス（＋−）０．１秒の範囲に設定しても良い。
（２）第一の操作タイミングの時間ａ＞第二の操作タイミングの時間ｂ
例えば、時間ａを、２秒プラス・マイナス（＋−）０．１秒の範囲に、時間ｂを１秒プラス・マイナス（＋−）０．１秒の範囲に設定しても良い。
【００６７】
（３）第一の操作タイミングの時間ａ＜第二の操作タイミングの時間ｂ
例えば、時間ａを、１秒プラス・マイナス（＋−）０．１秒の範囲に、時間ｂを２秒プラス・マイナス（＋−）０．１秒の範囲に設定しても良い。
一方、操作タイミング決定手段１５０は、一番目に操作されるストップスイッチ４０の操作タイミングを基準として、三番目に操作されるストップスイッチ４０の操作タイミングを予め決定するようにしても良い。
【００６８】
上記操作タイミングには、後述するが、図３に示すように、第１停止と第３停止との間の時間ｃが相当する。
なお、第１停止と第２停止との間の時間ａも、条件としたが、第１停止と第３停止との間の時間ｃだけを条件としても良い。
（予告報知制御手段１６０）
予告報知制御手段１６０は、操作タイミング決定手段１５０により決定された操作タイミングを、予告報知手段７０を通じて予告報知するためのものである。
【００６９】
操作タイミングの予告報知は、特典遊技中、実行される。
特典遊技は、特典遊技への移行役に当選し、当該役に対応する図柄が有効ライン（図示せず）上に揃うことを条件に開始される。
特典遊技は、一般遊技中の予め設定された所定の遊技区間中、操作タイミングを予告報知することにより実行される。
【００７０】
具体的には、予告報知制御手段１６０は、操作タイミングを数値、表、グラフ等を用いて直接的に予告報知しても良いし、或いは暗示的に予告報知しても良い。例えば、操作タイミングの始期を、線香花火を着火することにより報知し、終期を線香花火の火玉が地面に落下することにより報知しても良い。
具体的には、予告報知制御手段１６０には、次の手段を備える。
【００７１】
（１）予告報知選択手段１６１
なお、予告報知制御手段１６０の手段は、上記した（１）に限定されない。
（予告報知選択手段１６１）
予告報知選択手段１６１は、操作タイミング決定手段１５０により決定された操作タイミングを、予告報知手段７０を通じて予告報知するか否かを選択するためのものである。
【００７２】
なお、予告報知するか否かの選択は、毎ゲーム毎に、抽選により決定しても良いし、或いは規則的に選択しても良い。
また、予告報知するか否かの選択の結果により、予告報知の信頼度を変化させても良い。
（遊技の説明）
上記した構成を備えるスロットマシン１０の遊技について、以下に図２を用いて説明する。
【００７３】
まず、メダル投入手段２０によるメダルを投入後、スタートスイッチ３０を操作すると、リール駆動手段５０の駆動が開始され、図示しないが、３個のリールの回転を開始する。
このとき、役抽選手段１１０により、役の抽選が行われ、その抽選結果により役、例えば小役に当選した場合を前提に説明する。
【００７４】
同時に、操作タイミング決定手段１５０により、第１停止と第２停止との間の時間ａと、第２停止と第３停止との間の時間ｂとが決定される。
さらに、予告報知選択手段１６１により、予告報知するか否かが選択され、その結果、予告報知することが選択された場合を前提に説明する。
その後、左ストップスイッチ４１、中ストップスイッチ４２、右ストップスイッチ４３のいずれ１個を操作する。
【００７５】
例えば、左ストップスイッチ４１を操作すると、左リールモータ５１の駆動が停止し、左リール（図示せず）が第１停止する。
左リール（図示せず）が第１停止すると、第１停止と第２停止との間の時間ａの計測が開始される。
このとき、予告報知制御手段１６０は、予告報知手段７０に、図示しないが、線香花火を着火する画像を表示し、第一の操作タイミングの始期を遊技者に報知する。
【００７６】
その後、図示しないが、時間ａの経過直前に、線香花火の火玉が地面に落下する画像を表示し、第一の操作タイミングの終期を遊技者に報知する。
遊技者が、線香花火の火玉が地面に落下するのと同時に、残る２個の中ストップスイッチ４２、右ストップスイッチ４３のいずれ１個を操作すると、最適な時間に第２停止を実行することができる。
【００７７】
例えば、中ストップスイッチ４２を操作すると、中リールモータ５２の駆動が停止し、中リール（図示せず）が第２停止する。
このとき、リール停止制御手段１４０は、中リール（図示せず）に対して、当選した役に対応する図柄の組合せを有効ライン（図示せず）上に停止させるように停止制御を実行する。
【００７８】
これに対し、遊技者が、線香花火の火玉が地面に落下するのより早く操作したり、落下してから遅れて操作すると、第一の操作タイミングによる条件を達成することができない。
このときは、リール停止制御手段１４０は、中リール（図示せず）に対して、当選した役に対応する図柄の組合せを有効ライン（図示せず）上に停止させないように停止制御を実行する。
【００７９】
一方、第２停止に伴い、第２停止と第３停止との間の時間ｂの計測が開始される。
このとき、予告報知制御手段１６０は、予告報知手段７０に、図示しないが、二番目の線香花火を着火する画像を表示し、第二の操作タイミングの始期を遊技者に報知する。
【００８０】
その後、図示しないが、時間ｂの経過直前に、二番目の線香花火の火玉が地面に落下する画像を表示し、第二の操作タイミングの終期を遊技者に報知する。
遊技者が、二番目の線香花火の火玉が地面に落下するのと同時に、残る１個の右ストップスイッチ４３を操作すると、最適な時間に第３停止を実行することができる。
【００８１】
例えば、右ストップスイッチ４３を操作すると、右リールモータ５３の駆動が停止し、右リール（図示せず）が第３停止する。
このとき、リール停止制御手段１４０は、右リール（図示せず）に対して、当選した役に対応する図柄の組合せを有効ライン（図示せず）上に停止させるように停止制御を実行する。
【００８２】
その結果、当選した役に対応する図柄の組合せが有効ライン（図示せず）上に揃って入賞し、当選した役に対応する利益が、利益付与手段６０により遊技者に付与される。
これに対し、遊技者が、二番目の線香花火の火玉が地面に落下するのより早く操作したり、落下してから遅れて操作すると、第二の操作タイミングによる条件を達成することができない。
【００８３】
このときは、リール停止制御手段１４０は、右リール（図示せず）に対して、当選した役に対応する図柄の組合せを有効ライン（図示せず）上に停止させないように停止制御を実行する。
なお、操作タイミングには、図２に示すように、第１停止と第２停止との間の時間ａと、第２停止と第３停止との間の時間ｂとが含まれるが、いずれか一方だけを操作タイミングとしても良い。
（第２の実施の形態）
つぎに、図３を用いて、操作タイミングの第２の実施の形態について、以下に説明する。
【００８４】
すなわち、本実施の形態の特徴は、一番目に操作されるストップスイッチ４０の操作タイミングを基準として、三番目に操作されるストップスイッチ４０の操作タイミングを予め決定するようにした点である。
上記操作タイミングには、図３に示すように、第１停止と第３停止との間の時間ｃが相当する。
【００８５】
なお、操作タイミングには、図３に示すように、第１停止と第２停止との間の時間ａと、第１停止と第３停止との間の時間ｃとが含まれるが、いずれか一方だけを操作タイミングとしても良い。
（第３の実施の形態）
つぎに、図４を用いて、操作タイミングの第３の実施の形態について、以下に説明する。
【００８６】
すなわち、本実施の形態の特徴は、スタートスイッチ３０の操作タイミングを基準として、一番目に操作されるストップスイッチ４０の操作タイミングを予め決定するようにした点である。
上記操作タイミングには、図４に示すように、スタートと第１停止との間の時間ｄが相当する。
【００８７】
なお、操作タイミングには、図４に示すように、スタートと第１停止との間の時間ｄ、第１停止と第２停止との間の時間ａと、第２停止と第３停止との間の時間ｂとが含まれるが、いずれか少なくとも１個だけを操作タイミングとしても良い。
（第４の実施の形態）
つぎに、図５を用いて、操作タイミングの第４の実施の形態について、以下に説明する。
【００８８】
すなわち、本実施の形態の特徴は、スタートスイッチ３０の操作タイミングを基準として、以降に操作されるストップスイッチ４０の操作タイミングを予め決定するようにした点である。
上記操作タイミングには、図４に示すように、スタートと第１停止との間の時間ｄ、スタートと第２停止との間の時間ｅ、スタートと第３停止との間の時間ｆが相当する。
【００８９】
なお、操作タイミングには、図４に示すように、スタートと第１停止との間の時間ｄと、スタートと第２停止との間の時間ｅと、スタートと第３停止との間の時間ｆとが含まれるが、いずれか少なくとも１個だけを操作タイミングとしても良い。
【００９０】
【発明の効果】
本発明は、以上のように構成されているので、以下に記載されるような効果を奏する。
（請求項１）
請求項１に記載の発明によれば、スロットマシンに関し、次のような効果を奏する。
【００９１】
すなわち、請求項１に記載の発明によれば、ストップスイッチの停止操作の相対的なタイミングにもとづいて、リールの停止制御を変化させるとともに、ストップスイッチの停止操作の相対的なタイミングを遊技者に予告報知することができる。
すなわち、請求項１に記載の発明によれば、ストップスイッチの操作タイミングの始期や終期が絶対的に決まっておらず、先に操作されるストップスイッチの操作タイミングを基準として、以降に操作されるストップスイッチの操作タイミングを決定しているので、操作タイミングを相対的な条件とすることができる。
【００９２】
その結果、請求項１に記載の発明によれば、遊技者の技量の差や、偶然性等の要因により遊技結果が変化する可能性があり、遊技者の技術加入性や遊技性を向上することができる。
（請求項２）
請求項２に記載の発明によれば、スロットマシンに関し、上記した請求項１に記載の発明の効果に加え、次のような効果を奏する。
【００９３】
すなわち、請求項２に記載の発明によれば、役に当選した場合であっても、操作タイミングに従ってストップスイッチが操作されなかった場合には、当選した役を成立させないようにリールの停止制御を実行することができる。
（請求項３）
請求項３に記載の発明によれば、スロットマシンに関し、上記した請求項１又は請求項２に記載の発明の効果に加え、次のような効果を奏する。
【００９４】
すなわち、請求項３に記載の発明によれば、操作タイミングを予告報知するか否かを選択することができる。
その結果、請求項３に記載の発明によれば、操作タイミングを全て予告報知する場合に比較して、遊技を一層、変化に富むものとできる。
（請求項４）
請求項４に記載の発明によれば、スロットマシンに関し、上記した請求項１〜３のいずれか１項に記載の発明の効果に加え、次のような効果を奏する。
【００９５】
すなわち、請求項４に記載の発明によれば、直前に操作されるストップスイッチの操作タイミングを基準として、当該ストップの直後に操作されるストップスイッチの操作タイミングを決定することができる。
（請求項５）
請求項５に記載の発明によれば、スロットマシンに関し、上記した請求項１〜４のいずれか１項に記載の発明の効果に加え、次のような効果を奏する。
【００９６】
すなわち、請求項５に記載の発明によれば、３個以上のストップスイッチを前提として、２個の操作タイミングを決定することができる。
その結果、請求項５に記載の発明によれば、操作タイミングが１個の場合と比較して、難易度が高くなり、遊技を一層、変化に富むものとできる。
（請求項６）
請求項６に記載の発明によれば、スロットマシンに関し、上記した請求項１〜４のいずれか１項に記載の発明の効果に加え、次のような効果を奏する。
【００９７】
すなわち、請求項６に記載の発明によれば、３個以上のストップスイッチを前提として、一番目に操作されるストップスイッチの操作タイミングを基準として、三番目に操作されるストップスイッチの操作タイミングを決定することができる。
その結果、請求項６に記載の発明によれば、直前に操作されるストップスイッチの操作タイミングを基準とする場合と比較して、難易度が高くなり、遊技を一層、変化に富むものとできる。
（請求項７）
請求項７に記載の発明によれば、プログラムに関し、次のような効果を奏する。
【００９８】
すなわち、請求項７に記載の発明によれば、ストップスイッチの停止操作の相対的なタイミングにもとづいて、リールの停止制御を変化させるとともに、ストップスイッチの停止操作の相対的なタイミングを遊技者に予告報知することができる。
（請求項８）
請求項８に記載の発明によれば、記録媒体に関し、次のような効果を奏する。
【００９９】
すなわち、請求項８に記載の発明によれば、ストップスイッチの停止操作の相対的なタイミングにもとづいて、リールの停止制御を変化させるとともに、ストップスイッチの停止操作の相対的なタイミングを遊技者に予告報知することができる。
【図面の簡単な説明】
【図１】スロットマシンの概略ブロック図である。
【図２】停止タイミングを説明するための説明図である。
【図３】停止タイミングの第２の実施の形態を示すものであって、同図は停止タイミングを説明するための説明図である。
【図４】停止タイミングの第３の実施の形態を示すものであって、同図は停止タイミングを説明するための説明図である。
【図５】停止タイミングの第４の実施の形態を示すものであって、同図は停止タイミングを説明するための説明図である。
【符号の説明】
１０  スロットマシン              ２０  メダル投入手段
３０  スタートスイッチ            ４０  ストップスイッチ
４１  左ストップスイッチ          ４２  中ストップスイッチ
４３  右ストップスイッチ          ５０  リール駆動手段
５１  左リールモータ              ５２  中リールモータ
５３  右リールモータ              ６０  利益付与手段
７０  予告報知手段                １００  遊技制御手段
１１０  役抽選手段                  １２０  特定遊技実行手段
１３０  特別遊技実行手段            １４０  リール停止制御手段
１５０  操作タイミング決定手段      １６０  予告報知制御手段
１６１  予告報知選択手段
【図１】
2004344409.tif 000003
【図２】
2004344409.tif 000004
【図３】
2004344409.tif 000005
【図４】
2004344409.tif 000006
【図５】
2004344409.tif 000007